(57)【要約】【課題】床付き布枠の両端の隙間を少なくできるとともに、階段部材を枠組足場に組み入れるときに階段部材に取り付けられた掴み金具が建枠の横桟又は腕木材を確実に掴むことができ、また、階段部材を枠組足場から取り外すときにために階段部材に取り付けられた掴み金具の先端が下段の足場の床付き布枠の端面を回避できる床付き布枠及びこの床付き布枠を組み込んでなる枠組足場を提供する。【解決手段】長尺の主材又は水平方向に平行に配設された複数枚の長尺の主材と、その両端部に取り付けられる２枚の梁材と、その両端部の四隅に固定される４個の掴み金具からなる床付き布枠であって、上側フランジと下側フランジとウェブから形成される梁材の断面は、下側フランジ幅が上側フランジ幅よりも梁材の幅方向のその外側面に大きいことを特徴とする床付き布枠。梁材の幅方向の外側面の下部に、梁材と平行に突出部材を接合してもよい。【選択図】図１９
2010031539.tif 000002
【特許請求の範囲】
【請求項１】
長尺の主材又は水平方向に平行に配設された複数枚の長尺の主材と、その両端部に取り付けられる２枚の梁材と、その両端部の四隅に固定される４個の掴み金具からなる床付き布枠であって、上側フランジと下側フランジとウェブから形成される梁材の断面は、下側フランジ幅が上側フランジ幅よりも梁材の幅方向のその外側面に大きいことを特徴とする床付き布枠。
【請求項２】
梁材の断面は、下側フランジを梁材の幅方向の外側面に延長する形で突出させることによって形成される倒立ｈ形状であることを特徴とする、請求項１に記載の床付き布枠。
【請求項３】
梁材の断面は、ウェブの全部又は一部を傾斜させることによって形成される台形状又は変形台形状であることを特徴とする、請求項１に記載の床付き布枠。
【請求項４】
長尺の主材又は水平方向に平行に配設された複数枚の長尺の主材と、その両端部に取り付けられる２枚の梁材と、その両端部の四隅に固定される４個の掴み金具からなる床付き布枠であって、上側フランジと下側フランジとウェブから形成される梁材の幅方向の外側面の下部に、梁材と平行に突出部材を接合することを特徴とする床付き布枠。
【請求項５】
突出部材は水平に設置された平板であることを特徴とする、請求項４に記載の床付き布枠。
【請求項６】
突出部材は斜めに設置された平板であることを特徴とする、請求項４に記載の床付き布枠。
【請求項７】
突出部材は、断面がＬ型形状であることを特徴とする、請求項４に記載の床付き布枠。
【請求項８】
突出部材は、断面が三角形状であることを特徴とする、請求項４に記載の床付き布枠。
【請求項９】
突出部材は、断面が台形状又は変形台形状であることを特徴とする、請求項４に記載の床付き布枠。
【請求項１０】
長尺の主材の中央部の下側に桟木が設けられていることを特徴とする、請求項１から９までのいずれかに記載の床付き布枠。
【請求項１１】
請求項１から１０までのいずれかに記載の床付き布枠が組み込まれていることを特徴とする枠組足場。
【請求項１２】
請求項１１に記載の枠組足場であって、階段部材が組み込まれていることを特徴とする枠組足場。
【発明の詳細な説明】
【技術分野】
【０００１】
本発明は、建築現場等で枠組足場の作業床及び通路として使用される床付き布枠並びにこの床付き布枠を組み込んでなる枠組足場に関する。特に、階段部材を組み込んでなる枠組足場の作業床及び通路として使用される床付き布枠並びにこの床付き布枠を組み込んでなる枠組足場に関する。
【背景技術】
【０００２】
建築現場等で用いられる枠組足場には、例えば、建枠に筋違（すじかい）や手摺枠を取り付けてなる「建枠式足場」と、支柱部材やブレース材（斜材ともいう。）や手摺部材等の足場構成部材を緊結して組み立ててなる「緊結式足場」がある。
【０００３】
「建枠式足場」は、通常、横桟と縦柱から構成されるＨ形状や鳥居形状の建枠を複数個組み立てることによって形成される。すなわち、建枠の複数個を、所定の間隔で建物等の構造物とは直角に立設し、隣接する建枠の縦柱の間に筋違や手摺枠を取り付け固定して複数個の建枠を自立させた後、さらに隣接する建枠の横桟の間に床付き布枠（布板ともいう。）を１枚又は２枚以上架け渡すことで、１単位の足場を形成する。次に、既に立設した建枠の上に、別途用意された建枠を立設し、同様にして筋違や手摺枠を隣接する建枠の間に取り付け固定した後、新たに立設した建枠の横桟の上に床付き布枠を１枚又は２枚以上架け渡すことによって一つ上の段の足場を形成する。これを順次繰り返すことによって、全体の枠組み足場を形成する。
【０００４】
この建枠として、Ｈ形状の建枠（以下、「Ｈ枠」という。）を用いて建枠式の枠組足場を形成する一例を図１に示す。(a)が正面図、(b)が右側面図である。
【０００５】
３個のＨ枠１を建物２２とは直角に等間隔に並べ、隣接するＨ枠の間に、建物とは反対側に手摺枠１０をロック金具６ｂに取り付けて、１段目のＨ枠１を自立させる。さらに、建物とは反対側に手摺枠１０をロック金具７ｂに取り付け、そして建物側の手摺枠１３をロック金具７ａに取り付けて固定する。その後、１段目の隣接するＨ枠１の横桟３の間に床付き布枠１１を架け渡して、１段目の足場を形成する。次に、既に立設した１段目のＨ枠１の縦柱２の上に、別途用意したＨ枠１の縦柱２の下部を載置し、固定ピン（図示せず）で固定することによって、２段目のＨ枠１を立設する。その後、１段目と同様にして、建物とは反対側に手摺枠１０をロック金具６ｂと７ｂに取り付け、そして、建物側に手摺枠１３をロック金具７ａに取り付けて固定し、その後、２段目のＨ枠１の横桟３に床付き布枠１１を架け渡して、２段目の足場を形成する。３段目の足場も、２段目の足場と同じ手順で組み立てる。すなわち、建物とは反対側に手摺枠１０を取り付け、そして、建物側に手摺枠１３を取り付けて固定し、その後、３段目のＨ枠１の横桟３に床付き布枠１１を架け渡して、３段目の足場を形成する。このようにして、必要な段数になるまで枠組足場を形成する。
【０００６】
一方、「緊結式足場」は、「コマ」と呼ばれる取付部材が複数個設けられた支柱部材に、手摺部材、ブレース材、腕木部材等の足場構成部材をコマを介して取り付け、そして、コマにおいて楔等によってこれらの足場構成部材を緊結した後、床付き布枠を１枚又は２枚以上架け渡すことによって、組み立てられる。
【０００７】
図２に、緊結式足場の構造の一例を示す。(a)は緊結式足場の正面図、(b)は(a)において円で示されたコマの周辺の拡大図、そして、(c)は緊結式足場の右側面図である。
【０００８】
緊結式足場は、支柱１４が建物側とその反対側に各３本が立設されている。各々の支柱１４は、複数のコマ２０を有する支柱部材１６を縦に継ぎ足すことによって形成されている。建物側の隣接する支柱１４の間には、コマ２０を介してブレース材１９が取り付けられ、また、建物とは反対側の隣接する支柱１４の間には、コマ２０を介して作業用手摺１５が取り付けられ、コマ２０において楔等で緊結される。さらに、建物側の支柱１４と建物とは反対側の支柱１４の間には、コマ２０を介して腕木材２１が取り付けられ、コマ２０において楔等で緊結され、そして、隣接する腕木材２１の間に、床付き布枠１１を架け渡すことで、１段目の足場が形成される。なお、ブレース材１９は建物とは反対側の支柱１４の間に取り付ける場合もある。
【０００９】
２段目の足場は、１段目の足場と同様にして形成される。必要に応じて、１段目の足場の支柱１４の上端に別途用意した支柱１４を縦方向に継ぎ足した上で、ブレース材１９、手摺部材１５、腕木部材２１をコマ２０を介して取り付け緊結した後、床付き布枠１１を架け渡すことによって、形成される。これを順次繰り返すことによって、複数段の緊結式足場が形成される。
【００１０】
このように、床付き布枠は、建枠式枠組足場と緊結式枠組足場とを問わず、すべての枠組足場に組み込まれており、作業床及び通路として用いられている。
【００１１】
床付き布枠は、長尺の主材の１本又は２本以上と、主材の長手方向の両端に取り付けられる掴み金具と断面コの字形の梁材から構成されている。主材は水平面の床材部とその両側面を折り曲げてなる布材部とからなる。長尺の主材の両端部に断面コの字形の梁材が取り付けられ、そして、長尺の主材の両端部の四隅に掴み金具がリベット等で固定されて取り付けられる。なお、床付き布枠上を歩行する際に作業員が滑るのを防止するために、床材部の上面にはエンボス加工が施されることがある。また、床材部が幅方向に撓るのを防止するため、床材部の中央部の下側に桟木が設けられることがある。
【００１２】
上述のとおり、１枚の床付き布枠に組み込まれる主材は、１枚だけでなく、２枚の場合もあるが、１枚の床付き布枠に組み込まれる主材が１枚の場合と２枚の場合では、次のとおり、断面コの字形の梁材および掴み金具の取り付け方が異なる。
【００１３】
１枚の床付き布枠に組み込まれる主材が１枚の場合には、断面コの字形の梁材は１枚の長尺の主材の両端部それぞれ１個嵌合されて取り付けられ、そして、掴み金具は１枚の長尺の主材の両端部の四隅にリベット等で固定されて取り付けられる。
【００１４】
これに対して、１枚の床付き布枠に組み込まれる主材が２枚の場合には、２枚の主材を水平方向に平行に配設した後の２枚を合わせた長尺の主材の両端部それぞれ１個嵌合されて取り付けられる。そして、掴み金具は、２本の主材を水平方向に平行に配設した後の２枚を合わせた長尺の主材の両端部の四隅にリベット等で固定されて取り付けられる。
【００１５】
すなわち、梁材の個数は、１枚の床付き布枠に組み込まれる主材が１枚の場合も２枚の場合も、１枚の床付き布枠には合計２個が取り付けられることになる。また、掴み金具の個数は、１枚の床付き布枠に組み込まれる主材が１枚の場合も２枚の場合も、１枚の床付き布枠には合計４個が取り付けられることになる。
【００１６】
図３は、従来技術に係る床付き布枠の一例であり、(a)は組立図、(b)は完成図を、それぞれ示す。
【００１７】
この床付き布枠には、２枚の主材が組み込まれている。床付き布枠の主材３０は、上面に長尺の床材部３１とその両側面に一体化されて形成される長尺の布材部３２ａ、３２ｂからなり、さらに、両側面の下面の内側には長尺のリップ３３が長尺の布材部３２ａ、３２ｂと一体化されて設けられている。
【００１８】
このような主材３０の２本が、少し間隔を開けて、水平方向に平行に配設され、２本の主材３０の床材部３１の両端部に断面コの字形の梁材４０が嵌合して取り付けられ、溶接等で接合される。すなわち、断面コの字形の梁材４０は、上側フランジ４１と下側フランジ４２と、両フランジを連結するウエブ４３から構成されており、２本の主材３０の床材部３１の両端部は、上側フランジ４１と下側フランジ４２の間に嵌め込まれることになる。
【００１９】
また、外側に位置する２つの布材部３２ａの両端近傍には、掴み金具５０をリベット等で固定するための穴３４が、各々２個穿たれている。そして、外側に位置する布材部３２ａの両端部の内側には、断面コの字形の梁材４０の両端部との隙間に、掴み金具５０が挿入され、リベット３５で固定される。
【００２０】
図４は、図３に示す従来技術に係る床付き布枠の端部の拡大図であり、(a)は正面図、(b)は平面図、そして、(c)はＡ−Ａ面における断面図（側面図）を、それぞれ示す。
【００２１】
この床付き布枠の主材は、その剛性を高めるために、床材部３１の中央付近と両縁部近傍に、長尺方向に溝３６が成型され、そして、布材部３２ａ、３２ｂと一体化されて設けられているリップ３３の縁部は内側に屈曲した形に成型され、屈曲部３７を形成している。
【００２２】
上述したとおり、２本の主材は、少し間隔を開けて、水平方向に平行に配設され、その両端部に断面コの字形の梁材４０が嵌合され、そして、主材の床材部３１の上面の端部と梁材の上側フランジ４１の間、及び、主材のリップ３３の下面の端部と梁材の下側フランジ４２の間が、それぞれ、溶接Ｗ１及びＷ２によって接合される。溶接Ｗ１及びＷ２は、線溶接でもよいし、間隔を開けた点溶接でもよい。次いで、外側に位置する布材部３２ａの両端部の内側には、断面コの字形の梁材４０の両端部との隙間に掴み金具５０が挿入され、外側に位置する布材部３２ａのリベット穴３４と掴み金具のリベット穴５１とが位置合わせされた後、リベット３５で掴み金具５０が固定される。さらに、外側に位置する布材部３２ａの端部と掴み金具５０の外側面の間が、溶接Ｗ４によって接合される。溶接Ｗ４は、線溶接でもよいし、間隔を開けた点溶接でもよい。
【００２３】
なお、掴み金具５０は湾曲した開口部５３を有しており、足場を構成する建枠の横桟又は腕木材の上にその湾曲した開口部５３の内側を引っかけることで、床付き布枠を隣接する建枠の横桟又は腕木材の間に取り付けるためのものである。ここでは、掴み金具５０は落下錠５２を有しており、落下錠５２を建枠の横桟又は腕木材の下側に突出させることによって掴み金具５０が誤って建枠の横桟又は腕木材から外れないようにすることができる。
【００２４】
次に、このようにして形成された床付き布枠は、前述したとおり、枠組足場の作業床および通路として使用されるのであるが、建枠式足場の場合には隣接する横桟３の間に、そして、緊結式足場の場合には、隣接する腕木材２１の間に架け渡される。このとき、枠組足場の作業床および通路の幅、即ち、建枠の横桟の長さ又は腕木材の長さに応じて、床付き布枠を１枚又は２枚以上並べて架け渡すことによって、作業床又は通路が形成される。
【００２５】
なお、床付き布枠の幅は通常、２４０ｍｍ幅と５００ｍｍ幅の２種類が用いられ、それぞれ、小アンチ（小布板ともいう。）及び大アンチ（大布板ともいう。）と呼称される。
【００２６】
図５に、従来技術に係る床付き布枠の２例を示す。(a)が小アンチ２５であり、(b)が大アンチ２６である。いずれも平面図である。(a)の小アンチ２５は２４０ｍｍ幅の主材３０の１枚のみで２４０ｍｍ幅の床付き布枠としたものであり、(b)の大アンチ２６は２４０ｍｍ幅の主材３０を２枚並べて合わせて５００ｍｍ幅の床付き布枠としたものであることが示されている。なお、これらの例では、床付き布枠上を歩行する際に作業員が滑るのを防止するために、床材部３１の上面にはエンボス加工７１が施されている。また、主材３０が幅方向に撓るのを防止するため、主材３０の中央部の下側に桟木７０が設けられている。
【００２７】
そして、建枠の横桟の長さと腕木材の長さは、インチサイズとメーターサイズがあるが、インチサイズを例として挙げると、通常、６１０ｍｍ、９１４ｍｍ及び１２１９ｍｍの３種類のものが揃えられている。
【００２８】
したがって、通常、床付き布枠を枠組足場の作業床および通路として設置する場合、６１０ｍｍ幅を形成するには大アンチ（５００ｍｍ幅）を１枚用いて架け渡すことになり、９１４ｍｍ幅を形成するには大アンチ（５００ｍｍ幅）１枚と小アンチ（２４０ｍｍ幅）１枚を並べて架け渡すことになり、そして、１２１９ｍｍ幅を形成するには大アンチ（５００ｍｍ幅）を２枚並べて架け渡すことになる。
【００２９】
図６に、従来技術に係る床付き布枠１１を隣接する建枠の横桟３の間に架け渡して作業床および通路として設置したときの３例を示す。 (a)が６１０ｍｍ幅の設置例、(b)が９１４ｍｍ幅の設置例、そして、(c)が１２１９ｍｍ幅の設置例である。いずれも、床付き布枠１１を隣接する建枠の横桟３の間に架け渡して設置したときの横桟３の近傍の拡大図（平面図）である。(a)の６１０ｍｍ幅は大アンチ２６（５００ｍｍ幅）１枚から、(b)の９１４ｍｍ幅は大アンチ２６（５００ｍｍ幅）１枚と小アンチ２５（２４０ｍｍ幅）１枚から、そして、(c)の１２１９ｍｍ幅は大アンチ２６（５００ｍｍ幅）２枚から、それぞれ、形成されていることが示されている。なお、これらの例では、床付き布枠上を歩行する際に作業員が滑るのを防止するために、床材部の上面にはエンボス加工７１が施されている。
【００３０】
しかしながら、床付き布枠の両端部の掴み金具を建枠の横桟又は腕木材に取り付けることによって、隣接する建枠の横桟又は腕木材の間に床付き布枠を架け渡すと、床付き布枠の両側及び両端には隙間が生じることになる。このような隙間があると、作業員が枠組み足場を組立若しくは解体する作業中に又は枠組み足場内を移動中に枠組み足場の隙間から工具や建築資材等が落下したりするおそれがある。
【００３１】
このため、床付き布枠の両側の隙間については、通常、床付き布枠の道路側には、あるいはさらに建物側に、巾木（図示せず）を設置することによって、その隙間を塞ぐことがなされている。
【００３２】
次に、床付き布枠の両端の隙間について説明する。床付き布枠の両端の隙間は、建枠の横桟又は腕木材を介して隣接する床付き布枠の間に形成される。
【００３３】
図７は、隣接する建枠の横桟３に従来技術に係る床付き布枠１１を架け渡す際に床付き布枠の両端に生じる隙間７２を示す一例（平面図）である。ここでは、床付き布枠の梁材４０と横桟３との間に２５ｍｍの隙間７２が生じている。したがって、枠組み足場の隙間から工具や建築資材等が落下するおそれがある。
【００３４】
このため、床付き布枠の両端の隙間を少なくすることが、提案されている。特許文献１には、掴み金具は主材の布材部の両端に取り付けられたままであるが、床付き布枠の両端部の梁材の上側フランジを主材の長手方向の外側に延長する形で突出させた形状とすることによって、この隙間を少なくする手法が開示されている。
【００３５】
図８に、特許文献１に示された床付き布枠の一例（平面図）を示す。床付き布枠１１の両端部の梁材４０の上側フランジを主材の長手方向の外側に延長する形で突出させて突出部４４が形成され、そして、掴み金具５０は主材の布材部３２ａ、３２ｂの両端に取り付けられている。掴み金具５０は建枠の横桟３又は腕木材２１を確実に掴んでいるので、床付き布枠１１は隣接する建枠の横桟３又は腕木材２１の間に架設することができる上に、床付き布枠の両端の隙間７２はほとんどなくなっている。
【００３６】
図９に、床付き布枠の両端部の梁材の上側フランジを主材の長手方向の外側に延長する形で突出させたときの具体的な断面形状の一例を示す。
【００３７】
この床付き布枠は、床材部３１の端面に上側フランジ４１と下側フランジ４２とウェブ４３から形成される梁材４０を嵌合させて取り付けたものであるが、上側フランジ４１は梁材の幅方向の外側に延長する形で突出している。
【００３８】
他方、枠組足場においては、作業員が枠組み足場を組立若しくは解体する作業をするために又は枠組み足場内を上下に移動するために、上下の足場の間に階段を枠組足場に組み込む必要がある。この場合、上段の足場における床付き布枠の１枚又は平行する２枚を取り外して、上下の足場を構成する建枠の横桟又は腕木材の間に、両端部に掴み金具が取り付けられた階段部材を斜めに架け渡すことによって、枠組足場に階段を組み入れることができる。階段部材を枠組足場に組み込んでなる枠組足場は、たとえば特許文献２に開示されている。
【００３９】
【特許文献１】特開２００１−３１１３０４号公報
【特許文献２】特開平１１−３６５７２号公報
【発明の開示】
【発明が解決しようとする課題】
【００４０】
上述したように、床付き布枠の両側の隙間については、通常、床付き布枠の道路側に、あるいはさらに建物側に、巾木（図示せず）を設置することによって、その隙間を塞ぐことができる。
【００４１】
そして、床付き布枠の両端の隙間については、床付き布枠の両端部の梁材の上側フランジを主材の長手方向の外側に延長する形で突出させた形状とすることによって、この隙間を少なくする手法が上記の特許文献１に開示されている。この手法によれば、図８にみるごとく、床付き布枠の両端の隙間がほとんどなくなる。
【００４２】
ところで、上述のとおり、階段部材を枠組足場に組み込む場合には、上段の足場における床付き布枠の１枚又は平行する２枚を取り外して、上下の足場を構成する建枠の横桟又は腕木材の間に、両端部に掴み金具が取り付けられた階段部材を斜めに架け渡すことによって、枠組足場に階段部材を組み入れることになるが、このとき、掴み金具の先端が床付き布枠の端面を回避できてはじめて階段部材を組み入れることができる。また、階段部材を枠組足場から取り外す場合には、掴み金具に付属する落下錠を解除しながら、階段部材の全体を斜め上に持ち上げることになるが、このとき、掴み金具の先端が床付き布枠の端面を回避できてはじめて階段部材の全体を斜め上に持ち上げることができる。
【００４３】
したがって、図７に示すような、床付き布枠の梁材４０と横桟３との間に２５ｍｍの隙間７２のある床付き布枠が組み込まれている枠組足場の横桟３の間に、掴み金具が取り付けられた階段部材を斜めに架け渡すことに困難はなく、このような床付き布枠が組み込まれている枠組足場に階段部材を組み入れたり取り外すことに何ら問題はない。
【００４４】
しかしながら、図８に示すような、床付き布枠の両端部の梁材の上側フランジを主材の長手方向の外側に延長する形で突出させた形状の床付き布枠を用いた場合、上下の足場を構成する建枠の横桟又は腕木材の間に階段部材を斜めに架け渡そうとすると、階段部材に取り付けられた掴み金具の先端が床付き布枠の端部にぶつかるために、建枠の横桟又は腕木材を掴むことができない事態が発生する。また、階段部材を枠組足場から取り外すために、階段部材の全体を斜め上に持ち上げようとすると、掴み金具の先端が床付き布枠の端面を回避できないために、階段部材の全体を斜め上に持ち上げることができない事態が発生する。
【００４５】
以下に、枠組足場への階段部材の組み込みと取り外しの際に、床付き布枠の両端部の梁材の上側フランジを主材の長手方向の外側に延長する形で突出させた形状にしたときの問題点を説明する。
【００４６】
図１０に、床付き布枠の梁材と横桟との間に隙間のある床付き布枠が組み込まれている枠組足場に階段部材を組み込んだときの２例（平面図）を示す。作業床および通路の幅は９１４ｍｍ幅であり、したがって、床付き布枠１１は、大アンチ２６（５００ｍｍ幅）と小アンチ２５（２４０ｍｍ幅）の各１枚が水平方向に平行に並べられて、隣接する建枠の横桟３の間に架け渡されている。そして、この場合、図１０(a)及び(b)に示すとおり、階段部材７５は道路側と建物側のいずれにも組み込むことができる。ここでは、階段部材７５の左上端部の掴み金具５０は上段の足場の横桟３を掴んでいるのに対して、階段部材７５の右下端部の掴み金具５０は下段の足場の横桟（図示せず）を掴んでいる。
【００４７】
図１１に、枠組足場に組み込むことができる階段部材の一例を示す。(a)が正面図、(b)が右側面図、そして、(c)が(a)の円で示した部分の拡大図である。
【００４８】
この階段部材は、一対の桁材８０と、桁材の間に設けられたステップ８１と、桁材８０の左上端部に設けられた一対の掴み金具５０と、桁材８０の右下端部に設けられた一対の掴み金具５０を有しており、左上端部の掴み金具５０を上段の建枠の横桟に掴ませ、そして、右下端部の掴み金具５０を下段の建枠の横桟に掴ませることができるようになっている。
【００４９】
なお、階段部材を構成する桁材８０の両端に取り付けられる掴み金具５０は、桁材８０の両端部にリベットで接合されており、床付き布枠に用いる掴み金具と同じものを用いることができる。この掴み金具５０は、湾曲した開口部５３を有しており、建枠の横桟又は腕木材の上にその湾曲した開口部５３の内側を引っかけることで、階段部材を上下段の横桟又は腕木材の間に斜めに取り付けることができる。ここでは、掴み金具５０は落下錠５２を有しており、落下錠５２を建枠の横桟又は腕木材の下側に突出させることによって掴み金具５０が誤って建枠の横桟又は腕木材から外れないようにすることができる。
【００５０】
図１２は、床付き布枠の梁材と横桟との間に隙間のある床付き布枠が組み込まれている枠組足場に、この階段部材を組み込んだときの階段部材の両端部の掴み金具の状態を示す正面図である。
【００５１】
この階段部材は、その左上端部においてその掴み金具５０ａを上段の足場の建枠の横桟３ａに掴ませ、そして、右下端部においてその掴み金具５０ｂを下段の建枠の横桟３ｄに掴ませている。上段の足場では作業員が階段を上下できるように階段部材の直上には床付き布枠は設置されないのに対して、下段の足場では転落防止のため階段部材の直下に床付き布枠１１ｄが設置される。
【００５２】
したがって、階段部材の左上端部が架け渡される横桟３ａには、階段部材の掴み金具５０ａに加えて、上段の足場の床付き布枠１１ａの右端部に取り付けられる掴み金具５０ｃを掴ませることになる。また、階段部材の右下端部が架け渡される横桟３ｄには、階段部材の掴み金具５０ｂに加えて、下段の足場の床付き布枠１１ｄの右端部に取り付けられる掴み金具５０ｆと、下段の足場の床付き布枠１１ｅの左端部に取り付けられる掴み金具５０ｇを掴ませることになる。なお、階段部材の端部が架け渡されない上段の足場の横桟３ｂには、上段の足場の床付き布枠１１ｂの左端部に取り付けられる掴み金具５０ｃを掴ませることになる。また、階段部材の端部が架け渡されない下段の足場の横桟３ｃには、下段の足場の床付き布枠１１ｃの右端部に取り付けられる掴み金具５０ｄと、下段の足場の床付き布枠１１ｄの左端部に取り付けられる掴み金具５０ｅを、掴ませることになる。
【００５３】
図１３は、図１２のＡ−Ａ矢視図（平面図）であってこの階段部材を組み込んだときの上部足場の横桟近傍の掴み金具および隙間の状態を示す。
【００５４】
床付き布枠１１ａは、大アンチ２６（５００ｍｍ幅）の１枚が２個の掴み金具５０ｂによって建枠の横桟３ａに架け渡されている。さらに、この横桟３ａには階段部材が２個の掴み金具５０ａによって建枠の横桟３ａに架け渡されている。
【００５５】
ここでは、床付き布枠の梁材と横桟との間には、２０ｍｍ以上の隙間が開いているので、床付き布枠が組み込まれている枠組足場の横桟３の間に、掴み金具が取り付けられた階段部材を斜めに架け渡すことに困難はなく、このような床付き布枠が組み込まれている枠組足場に階段部材を組み入れたり取り外すことに何ら問題はない。
【００５６】
図１４は、図１２の円Ｂで示される部分の一部拡大図であり、この階段部材を組み込んだときの階段部材の右下端部の掴み金具との干渉の状態を示す正面図である。(a)がこの階段部材を組み込んだときの状態、そして、(b)がこの階段部材を取り外すときの状態を示す。なお、階段部材の掴み金具は図示したが、床付き布枠の掴み金具は図示しなかった。
【００５７】
この階段部材の右下端部が架け渡される下段の足場の建枠の横桟３ｄには、階段部材の掴み金具５０ｂに加えて、下段の足場の床付き布枠１１ｄの右端部に取り付けられる掴み金具５０ｆ（図示せず）と、下段の足場の床付き布枠１１ｅの左端部に取り付けられる掴み金具５０ｇ（図示せず）が掴んでいる。図１４(a)にみるごとく、階段部材の掴み金具５０ｂは横桟３ｄに対して斜めに掴むが、下段の足場の床付き布枠１１ｄの右端面と横桟３ｄの間は十分な隙間が空いているので、階段部材の掴み金具５０ｂと下段の足場の床付き布枠１１ｄとは干渉することはなく、したがって、階段部材と下段の足場の床付き布枠１１ｄの両方を設置することができる。
【００５８】
次に、このように上下の足場を構成する建枠の横桟の間に斜めに架け渡されている階段部材を取り外すためには、まず掴み金具５０ｂに付属する落下錠５２を解除しながら、階段部材の全体を斜め上に持ち上げる。このとき、図１４(b)にみるごとく、掴み金具５０ｂを横桟３ｄから完全に外すためには、掴み金具５０ｂを２０ｍｍ以上右方向に移動させる必要があるが、ここでは床付き布枠の端面と横桟３ａとの間に２０ｍｍ以上の隙間があるから、掴み金具の先端は床付き布枠の端面を回避でき、したがって、階段部材の全体を斜め上に持ち上げることができる。
【００５９】
このように、床付き布枠の梁材と横桟との間には、２０ｍｍ以上の隙間が開いているので、床付き布枠が組み込まれている枠組足場の横桟の間に、掴み金具が取り付けられた階段部材を斜めに架け渡すことに困難はなく、このような床付き布枠が組み込まれている枠組足場に階段部材を組み入れたり取り外したりすることに何ら問題はない。
【００６０】
しかしながら、２０ｍｍ以上の隙間が開いているので、枠組み足場の隙間から工具や建築資材等が落下したりするおそれがある。枠組み足場の隙間から工具や建築資材等が落下することを防止するために、図９のように、床付き布枠の両端部の梁材の上側フランジを主材の長手方向の外側に延長する形で突出させた形状とすることによって、この隙間をなくそうとすると、階段部材の両端部の近傍において、次に示すような問題が出てくる。
【００６１】
図１５は、床付き布枠の端面の梁材の上側フランジを主材の長手方向の外側に延長する形で突出させた形状としたときの階段部材の右下端部の掴み金具との干渉の状態を示す正面図である。(a)がこの階段部材を組み込んだときの状態、そして、(b)がこの階段部材を取り外すときの状態を示す。なお、階段部材の掴み金具は図示したが、床付き布枠の掴み金具は図示しなかった。
【００６２】
上下の足場を構成する建枠の横桟又は腕木材の間に階段部材を斜めに架け渡して階段部材を足場に組み入れようとすると、図１５(a)の楕円で示すように、階段部材の右下端部に取り付けられた掴み金具５０が下段の足場の床付き布枠の梁材の上側フランジ４１の突出部４４にぶつかるために、建枠の横桟３を掴むことができない。また、図１５(b)の楕円で示すように、階段部材を枠組足場から取り外すために、階段部材の全体を斜め上に持ち上げようとすると、階段部材の右下端部に取り付けられた掴み金具５０の先端が下段の足場の床付き布枠の梁材の上側フランジ４１の突出部４４を回避できないために、階段部材の全体を斜め上に持ち上げることができない。
【００６３】
図１６は、床付き布枠の端面の梁材の上側フランジを主材の長手方向の外側に延長する形で突出させた形状としたときの階段部材の左上端部の掴み金具との干渉の状態を示す正面図である。
【００６４】
上下の足場を構成する建枠の横桟又は腕木材の間に階段部材を斜めに架け渡して階段部材を足場に組み入れようとすると、図１６の楕円で示すように、階段部材の左上端部に取り付けられた掴み金具５０が上段の足場の床付き布枠の梁材の上側フランジ４１の突出部４４にぶつかるために、建枠の横桟３を掴むことができない。
【００６５】
本発明は、このような問題を解決するためになされたものであって、床付き布枠の両端の隙間を少なくできるとともに、階段部材を枠組足場に組み入れるときに階段部材に取り付けられた掴み金具が建枠の横桟又は腕木材を確実に掴むことができ、また、階段部材を枠組足場から取り外すときにために階段部材に取り付けられた掴み金具の先端が下段の足場の床付き布枠の端面を回避できる床付き布枠及びこの床付き布枠を組み込んでなる枠組足場を提供することを目的とする。
【課題を解決するための手段】
【００６６】
本発明者らは、上記目的を解決するために、種々の検討を重ねた結果、次の(a)〜(g)の知見を得た。
【００６７】
(a) 床付き布枠の両端部の掴み金具を建枠の横桟又は腕木材に取り付けることによって建枠の横桟又は腕木材の間に床付き布枠を架け渡したときに、床付き布枠の端部と横桟又は腕木材との間に隙間が生じると、枠組み足場の隙間から工具や建築資材等が落下したりするおそれがある。ただし、５〜１０ｍｍ程度の隙間にするだけで、工具や建築資材等が落下するおそれは小さくなる。
【００６８】
(b) 床付き布枠の両端部の梁材の上側フランジを主材の長手方向の外側に延長する形で突出させることによって、床付き布枠の端部と横桟又は腕木材との間の隙間を少なくした床付き布枠を用いた場合、上下の足場を構成する建枠の横桟又は腕木材の間に階段部材を斜めに架け渡そうとすると、階段部材に取り付けられた掴み金具の先端が床付き布枠の端部にぶつかるために、建枠の横桟又は腕木材を掴むことができない。また、階段部材を枠組足場から取り外すために、階段部材の全体を斜め上に持ち上げようとすると、掴み金具の先端が床付き布枠の端面を回避できないために、階段部材の全体を斜め上に持ち上げることができない。このことは、図１５及び図１６に示したとおりである。
【００６９】
(c) ところが、図１５及び図１６をよくみてみると、階段部材に取り付けられた掴み金具の先端が床付き布枠の端部にぶつかるのは、床付き布枠の両端部の梁材の上側フランジを主材の長手方向の外側に延長する形で突出させているためであることが分かる。したがって、上側フランジを突出させるのではなく、下側フランジを突出させることによって、階段部材に取り付けられた掴み金具の先端が床付き布枠の端部にぶつかることを回避することができることに思い至った。上側フランジと下側フランジとウェブから形成される梁材の断面の具体的な形状としては、たとえば、下側フランジを梁材の幅方向の外側面に延長する形で突出させることによって形成される倒立ｈ形状とすればよい。
【００７０】
図１７は、本発明の一例をなすものであって、床付き布枠の端面の梁材の下側フランジ４２を主材の長手方向の外側に延長する形で突出部４５を形成して倒立ｈ形状としたときの階段部材の右下端部の掴み金具５０との干渉の状態を示す正面図である。(a)がこの階段部材を組み込んだときの状態、そして、(b)がこの階段部材を取り外すときの状態を示す。なお、階段部材の掴み金具は図示したが、床付き布枠の掴み金具は図示しなかった。
【００７１】
このように、床付き布枠の端面の梁材の下側フランジ４２を主材の長手方向の外側に延長する形で突出部４５を形成すると、図１７(a)にみるごとく、上下の足場を構成する建枠の横桟３の間に階段部材を斜めに架け渡して階段部材を足場に組み入れる場合に、階段部材の右下端部に取り付けられた掴み金具５０が下段の足場の床付き布枠の梁材の下側フランジ４２の突出部４５にぶつかることがないため、建枠の横桟３を掴むことができることが分かる。
【００７２】
また、図１７(b)にみるごとく、階段部材を枠組足場から取り外すために、階段部材の全体を斜め上に持ち上げる場合に、階段部材の右下端部に取り付けられた掴み金具５０の先端は下段の足場の床付き布枠の梁材の下側フランジ４２の突出部４５を回避できるために、階段部材の全体を斜め上に持ち上げることができることが分かる。
【００７３】
図１８は、本発明の一例をなすものであって、床付き布枠の端面の梁材の下側フランジを主材の長手方向の外側に延長する形で突出させた倒立ｈ形状としたときの階段部材の左上端部の掴み金具との干渉の状態を示す正面図である。なお、階段部材の掴み金具は図示したが、床付き布枠の掴み金具は図示しなかった。
【００７４】
このように、床付き布枠の端面の梁材の下側フランジを主材の長手方向の外側に延長する形で突出部４５を形成すると、上下の足場を構成する建枠の横桟３の間に階段部材を斜めに架け渡して階段部材を足場に組み入れる場合に、階段部材の左上端部に取り付けられた掴み金具５０が上段の足場の床付き布枠の梁材の下側フランジ４２の突出部４５にぶつかることがないため、建枠の横桟５０を掴むことができることが分かる。
【００７５】
(d) あるいは、床付き布枠の両端部の梁材の下側フランジを突出させるまでに至らなくても、下側フランジ幅が上側フランジ幅よりも大きければ、階段部材に取り付けられた掴み金具の先端が床付き布枠の端部にぶつかることを回避できるとともに、床付き布枠の端部と横桟又は腕木材との間の隙間を少なくすることができることに思い至った。
【００７６】
このような梁材の断面の具体的な形状としては、上側フランジと下側フランジとウェブから形成される梁材のうち、ウェブの全部又は一部を傾斜させることによって形成される台形状又は変形台形状としてもよい。
【００７７】
(e) 上側フランジと下側フランジとウェブから形成される梁材の断面の形状はコの字状のままにして、代わりにコの字状の梁材の幅方向の外側面の下部に、梁材と平行に突出部材を接合してもよい。突出部材は水平に設置された平板としてもよく、また、斜めに設置された平板としてもよい。あるいは、突出部材は断面が、Ｌ型形状、三角形状、台形状又は変形台形状のものであってもよい。突出部材の梁材の幅方向の外側面への接合は、線溶接や点溶接等で溶接することによって行うことができるし、ボルトナットやリベット等で固定することによって行うこともできる。必要に応じて、リブ等で補強をすることもできる。
【００７８】
(f) このような床付き布枠を用いれば、床付き布枠の両端の隙間を少なくできるとともに、階段部材を枠組足場に組み入れるときに階段部材に取り付けられた掴み金具が建枠の横桟又は腕木材を確実に掴むことができ、また、階段部材を枠組足場から取り外すときにために階段部材に取り付けられた掴み金具の先端が下段の足場の床付き布枠の端面を回避できる。
【００７９】
(g) なお、床付き布枠の長尺の主材の中央部の下側に桟木を設けると、主材が幅方向に撓るのを防止することができる。また、床材部の上面にエンボス加工を施すと、床付き布枠上を歩行する際に作業員が滑るのを防止することができる。
【００８０】
本発明は、このような知見に基づいて完成したものであって、次の(1)〜(10)の床付き布枠及び(11)〜(12)の枠組足場を要旨とする。以下、(1)〜(12)を総称して、本発明ということもある。
【００８１】
(1) 長尺の主材又は水平方向に平行に配設された複数枚の長尺の主材と、その両端部に取り付けられる２枚の梁材と、その両端部の四隅に固定される４個の掴み金具からなる床付き布枠であって、上側フランジと下側フランジとウェブから形成される梁材の断面は、下側フランジ幅が上側フランジ幅よりも梁材の幅方向のその外側面に大きいことを特徴とする床付き布枠。
【００８２】
(2) 梁材の断面は、下側フランジを梁材の幅方向の外側面に延長する形で突出させることによって形成される倒立ｈ形状であることを特徴とする、上記(1)の床付き布枠。
【００８３】
(3) 梁材の断面は、ウェブの全部又は一部を傾斜させることによって形成される台形状又は変形台形状であることを特徴とする、上記(1)の床付き布枠。
【００８４】
(4) 長尺の主材又は水平方向に平行に配設された複数枚の長尺の主材と、その両端部に取り付けられる２枚の梁材と、その両端部の四隅に固定される４個の掴み金具からなる床付き布枠であって、上側フランジと下側フランジとウェブから形成される梁材の幅方向の外側面の下部に、梁材と平行に突出部材を接合することを特徴とする床付き布枠。
【００８５】
(5) 突出部材は水平に設置された平板であることを特徴とする、上記(4)の床付き布枠。
【００８６】
(6) 突出部材は斜めに設置された平板であることを特徴とする、上記(4)の床付き布枠。
【００８７】
(7) 突出部材は、断面がＬ型形状であることを特徴とする、上記(4)の床付き布枠。
【００８８】
(8) 突出部材は、断面が三角形状であることを特徴とする、上記(4)の床付き布枠。
【００８９】
(9) 突出部材は、断面が台形状又は変形台形状であることを特徴とする、上記(4)の床付き布枠。
【００９０】
(10) 長尺の主材の中央部の下側に桟木が設けられていることを特徴とする、上記(1)〜(9)のいずれかの床付き布枠。
【００９１】
(11) 上記(1)〜(10)のいずれかの床付き布枠が組み込まれていることを特徴とする枠組足場。
【００９２】
(12) 上記(11)の枠組足場であって、階段部材が組み込まれていることを特徴とする枠組足場。
【発明の効果】
【００９３】
本発明によれば、床付き布枠の両端の隙間を少なくできるとともに、階段部材を枠組足場に組み入れるときに階段部材に取り付けられた掴み金具が建枠の横桟又は腕木材を確実に掴むことができ、また、階段部材を枠組足場から取り外すときにために階段部材に取り付けられた掴み金具の先端が下段の足場の床付き布枠の端面を回避できる床付き布枠及びこの床付き布枠を組み込んでなる枠組足場を提供することとができる。
【発明を実施するための最良の形態】
【００９４】
本発明に係る床付き布枠及びこの床付き布枠を組み込んでなる枠組足場を、以下に、図面を用いて説明する。なお、本発明は次の実施例に限定されるものではない。
【実施例１】
【００９５】
図１９は、本発明に係る床付き布枠の一例の端部を示したものであり、建枠の横桟に架け渡したときの隙間の状態を示す。(a)は平面図、(b)は(a)のＧ−Ｇ矢視方向の拡大側面図、(c)は(a)のＨ−Ｈ矢視方向の拡大断面図（側面図）である。
【００９６】
この床付き布枠は、長尺の主材３０の２枚を水平方向に平行に２枚配設し、床材部３１の端面に上側フランジ４１と下側フランジ４２とウェブ４３から形成される梁材４０が嵌合されて取り付けられたものであり、大アンチ（５００ｍｍ幅）の類である。ただし、床付き布枠の端面の梁材の下側フランジ４２を主材の長手方向の外側に延長する形で突出部４５を形成することによって、梁材４０は図１９(b)及び(c)に見るごとく、断面が倒立ｈ形状を有している。この結果、床付き布枠の梁材の下側フランジ４２の突出部４５と横桟３の間の隙間７２は、非常に狭く、５ｍｍとなっている。そして、掴み金具５０は主材の布材部３２ａ、３２ｂの両端に取り付けられている。ここでは、床材部３１の上面にはエンボス加工が施されていて、床付き布枠上を歩行する際に作業員が滑るのを防止しているが、その必要がない場合にはエンボス加工を施さなくてもよい。なお、床材部３１が幅方向に撓るのを防止するため、床材部３１の長手方向の中央部の下側に桟木を設けてもよい。
【００９７】
図２０は、図１９に示される床付き布枠が組み込まれている枠組足場に、階段部材を組み込んだときの階段部材の両端部の掴み金具との干渉の状態を示す正面図である。ここでは、それぞれ、階段部材の左上端部及び右下端部のみを示す。なお、階段部材の掴み金具は図示したが、床付き布枠の掴み金具は図示しなかった。
【００９８】
床付き布枠の端面の梁材の下側フランジ４２を主材の長手方向の外側に延長する形で突出部４５を形成すると、上下の足場を構成する建枠の横桟３の間に階段部材を斜めに架け渡して階段部材を足場に組み入れる場合に、階段部材の左上端部に取り付けられた掴み金具５０が上段の足場の床付き布枠の梁材の下側フランジ４２の突出部４５にぶつかることがないため、建枠の横桟３を掴むことができる。また、階段部材の右下端部に取り付けられた掴み金具５０が下段の足場の床付き布枠の梁材の下側フランジ４２の突出部４５にぶつかることがないため、建枠の横桟３を掴むことができる。
【００９９】
図２１は、図１９に示される床付き布枠と階段部材が組み込まれている枠組足場から、階段部材を取り外すときの階段部材の両端部の掴み金具と隙間の状態を示す正面図である。ここでは、それぞれ、階段部材の左上端部及び右下端部のみを示す。なお、階段部材の掴み金具は図示したが、床付き布枠の掴み金具は図示しなかった。
【０１００】
床付き布枠の端面の梁材の下側フランジ４２を主材の長手方向の外側に延長する形で突出部４５を形成すると、階段部材を枠組足場から取り外すために、階段部材の全体を斜め上に持ち上げる場合に、階段部材の右下端部に取り付けられた掴み金具５０の先端は下段の足場の床付き布枠の梁材の下側フランジ４２の突出部４５を回避できるために、階段部材の全体を斜め上に持ち上げることができる。
【０１０１】
このように、図１９に示す床付き布枠を用いると、床付き布枠の両端の隙間を狭くできるので、この隙間７２から工具や建築資材等が落下するおそれは小さい。また、階段部材を枠組足場に組み入れるときに階段部材に取り付けられた掴み金具が建枠の横桟又は腕木材を確実に掴むことができ、また、階段部材を枠組足場から取り外すときにために階段部材に取り付けられた掴み金具の先端が下段の足場の床付き布枠の端面を回避できる。
【実施例２】
【０１０２】
図２２は、本発明に係る床付き布枠の他の例の端部を示したものであり、建枠の横桟に架け渡したときの隙間の状態を示す。(a)は平面図、(b)は(a)のＧ−Ｇ矢視方向の拡大側面図、(c)は(a)のＨ−Ｈ矢視方向の拡大断面図（側面図）である。
【０１０３】
この床付き布枠は、大アンチ（５００ｍｍ幅）の類であり、長尺の主材３０の２枚を水平方向に平行に２枚配設し、床材部３１の端面に上側フランジ４１と下側フランジ４２とウェブ４３から形成される断面コの字形状の梁材４０が嵌合されて取り付けられた上に、さらに梁材４０の幅方向の外側に梁材と平行に、断面が三角形状の突出部材６０を線溶接により接合したものである。この結果、床付き布枠の梁材の下側フランジ４２の突出部４５と横桟３の間の隙間７２は、非常に狭く、約１０ｍｍとなっている。そして、掴み金具５０は主材の布材部３２ａ、３２ｂの両端に取り付けられている。なお、ここでは、突出部材６０は梁材の外側に線溶接によって接合されているが、溶接に代えて、ボルトナットやリベット等で接合してもよい。また、床材部３１の上面にはエンボス加工が施されていて、床付き布枠上を歩行する際に作業員が滑るのを防止しているが、その必要がない場合にはエンボス加工を施さなくてもよい。なお、床材部３１が幅方向に撓るのを防止するため、床材部３１の長手方向の中央部の下側に桟木を設けてもよい。
【０１０４】
図２３は、図２２に示される床付き布枠が組み込まれている枠組足場に、階段部材を組み込んだときの階段部材の両端部の掴み金具との干渉の状態を示す正面図である。ここでは、それぞれ、階段部材の左上端部及び右下端部のみを示す。なお、階段部材の掴み金具は図示したが、床付き布枠の掴み金具は図示しなかった。
【０１０５】
床付き布枠の端面の断面コの字形状の梁材４０の幅方向の外側に梁材と平行に、断面が三角形状の突出部材６０を線溶接により接合すると、上下の足場を構成する建枠の横桟３の間に階段部材を斜めに架け渡して階段部材を足場に組み入れる場合に、階段部材の左上端部に取り付けられた掴み金具５０が上段の足場の床付き布枠の梁材の外側に設けられた断面が三角形状の突出部材６０にぶつかることがないため、建枠の横桟３を掴むことができる。また、階段部材の右下端部に取り付けられた掴み金具５０が下段の足場の床付き布枠の梁材の外側に設けられた断面が三角形状の突出部材６０にぶつかることがないため、建枠の横桟３を掴むことができる。
【０１０６】
図２４は、図２２に示される床付き布枠と階段部材が組み込まれている枠組足場から、階段部材を取り外すときの階段部材の両端部の掴み金具との干渉の状態を示す正面図である。ここでは、それぞれ、階段部材の左上端部及び右下端部のみを示す。なお、階段部材の掴み金具は図示したが、床付き布枠の掴み金具は図示しなかった。
【０１０７】
床付き布枠の端面の梁材の断面コの字形状の梁材４０の幅方向の外側に梁材と平行に、断面が三角形状の突出部材６０を線溶接により接合すると、階段部材を枠組足場から取り外すために、階段部材の全体を斜め上に持ち上げる場合に、階段部材の右下端部に取り付けられた掴み金具５０の先端は下段の足場の床付き布枠の梁材の外側に設けられた断面が三角形状の突出部材６０を回避できるために、階段部材の全体を斜め上に持ち上げることができる。
【０１０８】
このように、図２１に示す床付き布枠を用いると、床付き布枠の両端の隙間を狭くできるので、この隙間から工具や建築資材等が落下するおそれは小さい。また、階段部材を枠組足場に組み入れるときに階段部材に取り付けられた掴み金具が建枠の横桟又は腕木材を確実に掴むことができ、また、階段部材を枠組足場から取り外すときにために階段部材に取り付けられた掴み金具の先端が下段の足場の床付き布枠の端面を回避できる。
【実施例３】
【０１０９】
図２５は、本発明に係る床付き布枠の他の例の端部を示したものであり、この床付き布枠が組み込まれている枠組足場に、階段部材を右上から左下にかけて斜めに組み込んだときの階段部材の左下端部の掴み金具とその左方の床付き布枠との干渉の状態を示す正面図である。なお、階段部材の掴み金具は図示したが、床付き布枠の掴み金具は図示しなかった。
【０１１０】
この床付き布枠は、その端面の梁材のウェブ４３の一部を傾斜させて梁材の断面を変形台形状にしたものであり、床付き布枠の端面の梁材と建枠の横桟３との間の隙間を狭くできる。そして、上下の足場を構成する建枠の横桟３の間に階段部材を斜めに架け渡して階段部材を足場に組み入れる場合に、階段部材の左下端部に取り付けられた掴み金具５０が下段の足場の床付き布枠の梁材の変形台形状の断面にぶつかることがないため、建枠の横桟３を掴むことができる。また、図示しなかったが、階段部材の右上端部に取り付けられた掴み金具５０が上段の足場の床付き布枠の梁材の変形台形状の断面にぶつかることもないから、建枠の横桟３を掴むことができる。さらに、図示しなかったが、階段部材を枠組足場から取り外すために、階段部材の全体を斜め上に持ち上げる場合に、階段部材の左下端部に取り付けられた掴み金具５０の先端は下段の足場の床付き布枠の梁材の変形台形状の断面を回避できるために、階段部材の全体を斜め上に持ち上げることができる。
【０１１１】
このように、図２５に示す床付き布枠を用いると、床付き布枠の両端の隙間を狭くできるので、この隙間から工具や建築資材等が落下するおそれは小さい。また、階段部材を枠組足場に組み入れるときに階段部材に取り付けられた掴み金具が建枠の横桟又は腕木材を確実に掴むことができ、また、階段部材を枠組足場から取り外すときにために階段部材に取り付けられた掴み金具の先端が下段の足場の床付き布枠の端面を回避できる。
【実施例４】
【０１１２】
図２６は、本発明に係る床付き布枠の他の例の端部を示したものであり、この床付き布枠が組み込まれている枠組足場に、階段部材を右上から左下にかけて斜めに組み込んだときの階段部材の左下端部の掴み金具とその左方の床付き布枠との干渉の状態を示す正面図である。なお、階段部材の掴み金具は図示したが、床付き布枠の掴み金具は図示しなかった。
【０１１３】
この床付き布枠は、その端面の梁材のウェブ４３を傾斜させて梁材の断面を台形状にしたものであり、床付き布枠の端面の梁材と建枠の横桟３との間の隙間を狭くできる。そして、上下の足場を構成する建枠の横桟３の間に階段部材を斜めに架け渡して階段部材を足場に組み入れる場合に、階段部材の左下端部に取り付けられた掴み金具５０が下段の足場の床付き布枠の梁材の台形状の断面にぶつかることがないため、建枠の横桟３を掴むことができる。また、図示しなかったが、階段部材の右上端部に取り付けられた掴み金具５０が上段の足場の床付き布枠の梁材の台形状の断面にぶつかることもないから、建枠の横桟３を掴むことができる。さらに、図示しなかったが、階段部材を枠組足場から取り外すために、階段部材の全体を斜め上に持ち上げる場合に、階段部材の左下端部に取り付けられた掴み金具５０の先端は下段の足場の床付き布枠の梁材の台形状の断面を回避できるために、階段部材の全体を斜め上に持ち上げることができる。
【０１１４】
このように、図２６に示す床付き布枠を用いると、床付き布枠の両端の隙間を狭くできるので、この隙間から工具や建築資材等が落下するおそれは小さい。また、階段部材を枠組足場に組み入れるときに階段部材に取り付けられた掴み金具が建枠の横桟又は腕木材を確実に掴むことができ、また、階段部材を枠組足場から取り外すときにために階段部材に取り付けられた掴み金具の先端が下段の足場の床付き布枠の端面を回避できる。
【実施例５】
【０１１５】
図２７は、本発明に係る床付き布枠の他の例の端部を示したものであり、この床付き布枠が組み込まれている枠組足場に、階段部材を右上から左下にかけて斜めに組み込んだときの階段部材の下端部の掴み金具とその左方の床付き布枠との干渉の状態を示す正面図である。なお、階段部材の掴み金具は図示したが、床付き布枠の掴み金具は図示しなかった。
【０１１６】
この床付き布枠は、その端面の断面コの字形状の梁材４０の幅方向の外側に梁材と平行に、平板からなる突出部材６０を線溶接により斜めに接合し、かつ補強のために台形のリブ６３を線溶接により接合したものであり、床付き布枠の端面の梁材と建枠の横桟３との間の隙間を狭くできる。そして、上下の足場を構成する建枠の横桟３の間に階段部材を斜めに架け渡して階段部材を足場に組み入れる場合に、階段部材の左下端部に取り付けられた掴み金具５０が下段の足場の床付き布枠の梁材４０の幅方向の外側に接合された突出部材にぶつかることがないため、建枠の横桟３を掴むことができる。また、図示しなかったが、階段部材の右上端部に取り付けられた掴み金具５０が上段の足場の床付き布枠の梁材の幅方向の外側に接合された突出部材にぶつかることもないから、建枠の横桟３を掴むことができる。さらに、図示しなかったが、階段部材を枠組足場から取り外すために、階段部材の全体を斜め上に持ち上げる場合に、階段部材の左下端部に取り付けられた掴み金具の先端は下段の足場の床付き布枠の梁材の幅方向の外側に接合された突出部材を回避できるために、階段部材の全体を斜め上に持ち上げることができる。
【０１１７】
このように、図２７に示す床付き布枠を用いると、床付き布枠の両端の隙間を狭くできるので、この隙間から工具や建築資材等が落下するおそれは小さい。また、階段部材を枠組足場に組み入れるときに階段部材に取り付けられた掴み金具が建枠の横桟又は腕木材を確実に掴むことができ、また、階段部材を枠組足場から取り外すときにために階段部材に取り付けられた掴み金具の先端が下段の足場の床付き布枠の端面を回避できる。
【実施例６】
【０１１８】
図２８は、本発明に係る床付き布枠の他の例の端部を示したものであり、この床付き布枠が組み込まれている枠組足場に、階段部材を右上から左下にかけて斜めに組み込んだときの階段部材の下端部の掴み金具とその左方の床付き布枠との間の隙間の状態を示す正面図である。なお、階段部材の掴み金具は図示したが、床付き布枠の掴み金具は図示しなかった。
【０１１９】
この床付き布枠は、その端面の断面コの字形状の梁材４０の幅方向の外側に梁材と平行に、平板からなる突出部材６０を線溶接により水平に接合し、かつ補強のために略三角形状のリブ６３を線溶接により接合したものであり、床付き布枠の端面の梁材と建枠の横桟３との間の隙間を狭くできる。そして、上下の足場を構成する建枠の横桟３の間に階段部材を斜めに架け渡して階段部材を足場に組み入れる場合に、階段部材の左下端部に取り付けられた掴み金具５０が下段の足場の床付き布枠の梁材４０の幅方向の外側に接合された突出部材にぶつかることがないため、建枠の横桟３を掴むことができる。また、図示しなかったが、階段部材の右上端部に取り付けられた掴み金具５０が上段の足場の床付き布枠の梁材の幅方向の外側に接合された突出部材にぶつかることもないから、建枠の横桟３を掴むことができる。さらに、図示しなかったが、階段部材を枠組足場から取り外すために、階段部材の全体を斜め上に持ち上げる場合に、階段部材の左下端部に取り付けられた掴み金具の先端は下段の足場の床付き布枠の梁材の幅方向の外側に接合された突出部材を回避できるために、階段部材の全体を斜め上に持ち上げることができる。
【０１２０】
このように、図２８に示す床付き布枠を用いると、床付き布枠の両端の隙間を狭くできるので、この隙間から工具や建築資材等が落下するおそれは小さい。また、階段部材を枠組足場に組み入れるときに階段部材に取り付けられた掴み金具が建枠の横桟又は腕木材を確実に掴むことができ、また、階段部材を枠組足場から取り外すときにために階段部材に取り付けられた掴み金具の先端が下段の足場の床付き布枠の端面を回避できる。
【実施例７】
【０１２１】
図２９は、本発明に係る床付き布枠の他の例の端部を示したものであり、この床付き布枠が組み込まれている枠組足場に、階段部材を右上から左下にかけて斜めに組み込んだときの階段部材の下端部の掴み金具とその左方の床付き布枠との間の隙間の状態を示す正面図である。なお、階段部材の掴み金具は図示したが、床付き布枠の掴み金具は図示しなかった。
【０１２２】
この床付き布枠は、その端面の断面コの字形状の梁材４０の幅方向の外側に梁材と平行に、平板からなる突出部材６０を線溶接により水平に接合し、さらに断面三角形状の突出部材を線溶接によりに接合するとともに、補強のために略三角形状のリブ６３を線溶接により接合したものであり、床付き布枠の端面の梁材と建枠の横桟３との間の隙間を狭くできる。そして、上下の足場を構成する建枠の横桟３の間に階段部材を斜めに架け渡して階段部材を足場に組み入れる場合に、階段部材の左下端部に取り付けられた掴み金具５０が下段の足場の床付き布枠の梁材４０の幅方向の外側に接合された突出部材にぶつかることがないため、建枠の横桟３を掴むことができる。また、図示しなかったが、階段部材の右上端部に取り付けられた掴み金具５０が上段の足場の床付き布枠の梁材の幅方向の外側に接合された突出部材にぶつかることもないから、建枠の横桟３を掴むことができる。さらに、図示しなかったが、階段部材を枠組足場から取り外すために、階段部材の全体を斜め上に持ち上げる場合に、階段部材の左下端部に取り付けられた掴み金具の先端は下段の足場の床付き布枠の梁材の幅方向の外側に接合された突出部材を回避できるために、階段部材の全体を斜め上に持ち上げることができる。
【０１２３】
このように、図２９に示す床付き布枠を用いると、床付き布枠の両端の隙間を狭くできるので、この隙間から工具や建築資材等が落下するおそれは小さい。また、階段部材を枠組足場に組み入れるときに階段部材に取り付けられた掴み金具が建枠の横桟又は腕木材を確実に掴むことができ、また、階段部材を枠組足場から取り外すときにために階段部材に取り付けられた掴み金具の先端が下段の足場の床付き布枠の端面を回避できる。
【産業上の利用可能性】
【０１２４】
以上のとおり、本発明によれば、床付き布枠の両端の隙間を少なくできるとともに、階段部材を枠組足場に組み入れるときに階段部材に取り付けられた掴み金具が建枠の横桟又は腕木材を確実に掴むことができ、また、階段部材を枠組足場から取り外すときにために階段部材に取り付けられた掴み金具の先端が下段の足場の床付き布枠の端面を回避できる床付き布枠及びこの床付き布枠を組み込んでなる枠組足場を提供することとができる。
【図面の簡単な説明】
【０１２５】
【図１】Ｈ枠を用いて建枠式の枠組足場を形成する一例である。
【図２】緊結式足場の構造の一例を示す。
【図３】従来技術に係る床付き布枠の一例である。
【図４】図３に示す従来技術に係る床付き布枠の端部の拡大図である。
【図５】従来技術に係る床付き布枠の２例を示す。
【図６】従来技術に係る床付き布枠を隣接する建枠の横桟の間に架け渡して作業床および通路として設置したときの３例を示す。
【図７】隣接する建枠の横桟に従来技術に係る床付き布枠を架け渡す際に床付き布枠の両端に生じる隙間を示す一例（平面図）である。
【図８】特許文献１に示された床付き布枠の一例（平面図）を示す。
【図９】床付き布枠の両端部の梁材の上側フランジを主材の長手方向の外側に延長する形で突出させたときの具体的な断面形状の一例を示す。
【図１０】床付き布枠の梁材と横桟との間に隙間のある床付き布枠が組み込まれている枠組足場に階段部材を組み込んだときの２例（平面図）を示す。
【図１１】枠組足場に組み込むことができる階段部材の一例を示す。(a)が正面図、(b)が右側面図、そして、(c)が(a)の円で示した部分の拡大図である。
【図１２】床付き布枠の梁材と横桟との間に隙間のある床付き布枠が組み込まれている枠組足場に、この階段部材を組み込んだときの階段部材の両端部の掴み金具の状態を示す正面図である。
【図１３】図１２のＡ−Ａ矢視図（平面図）であってこの階段部材を組み込んだときの上部足場の横桟近傍の掴み金具および隙間の状態を示す。
【図１４】図１２の円Ｂで示される部分の一部拡大図であり、この階段部材を組み込んだときの階段部材の右下端部の掴み金具との干渉の状態を示す正面図である。(a)がこの階段部材を組み込んだときの状態、そして、(b)がこの階段部材を取り外すときの状態を示す。
【図１５】床付き布枠の端面の梁材の上側フランジを主材の長手方向の外側に延長する形で突出させた形状としたときの階段部材の右下端部の掴み金具との干渉の状態を示す正面図である。(a)がこの階段部材を組み込んだときの状態、そして、(b)がこの階段部材を取り外すときの状態を示す。
【図１６】床付き布枠の端面の梁材の上側フランジを主材の長手方向の外側に延長する形で突出させた形状としたときの階段部材の左上端部の掴み金具との干渉の状態を示す正面図である。
【図１７】本発明の一例をなすものであって、床付き布枠の端面の梁材の下側フランジを主材の長手方向の外側に延長する形で突出部を形成して倒立ｈ形状としたときの階段部材の右下端部の掴み金具との干渉の状態を示す正面図である。(a)がこの階段部材を組み込んだときの状態、そして、(b)がこの階段部材を取り外すときの状態を示す。
【図１８】本発明の一例をなすものであって、床付き布枠の端面の梁材の下側フランジを主材の長手方向の外側に延長する形で突出させた倒立ｈ形状としたときの階段部材の左上端部の掴み金具と干渉の状態を示す正面図である。
【図１９】本発明に係る床付き布枠の一例の端部を示したものであり、建枠の横桟に架け渡したときの隙間の状態を示す。(a)は平面図、(b)は(a)のＧ−Ｇ矢視方向の拡大側面図、(c)は(a)のＨ−Ｈ矢視方向の拡大断面図（側面図）である。
【図２０】図１９に示される床付き布枠が組み込まれている枠組足場に、階段部材を組み込んだときの階段部材の両端部の掴み金具との干渉の状態を示す正面図である。
【図２１】図１９に示される床付き布枠と階段部材が組み込まれている枠組足場から、階段部材を取り外すときの階段部材の両端部の掴み金具との干渉の状態を示す正面図である。
【図２２】本発明に係る床付き布枠の他の例の端部を示したものであり、建枠の横桟に架け渡したときの隙間の状態を示す。(a)は平面図、(b)は(a)のＧ−Ｇ矢視方向の拡大側面図、(c)は(a)のＨ−Ｈ矢視方向の拡大断面図（側面図）である。
【０１２６】
【図２３】図２２に示される床付き布枠が組み込まれている枠組足場に、階段部材を組み込んだときの階段部材の両端部の掴み金具との干渉の状態を示す正面図である。
【図２４】図２２に示される床付き布枠と階段部材が組み込まれている枠組足場から、階段部材を取り外すときの階段部材の両端部の掴み金具との干渉の状態を示す正面図である。
【図２５】本発明に係る床付き布枠の他の例の端部を示したものである。
【図２６】本発明に係る床付き布枠の他の例の端部を示したものである。
【図２７】本発明に係る床付き布枠の他の例の端部を示したものである。
【図２８】本発明に係る床付き布枠の他の例の端部を示したものである。
【図２９】本発明に係る床付き布枠の他の例の端部を示したものである。
【符号の説明】
【０１２７】
１  Ｈ枠
２  縦柱
３  横桟
３ａ、３ｂ  上段の足場の横桟
３ｃ、３ｄ  下段の足場の横桟
６ａ、６ｂ  ロック金具
７ａ、７ｂ  ロック金具
１０  手摺枠
１１  床付き布枠
１１ａ、１１ｂ  上段の足場の床付き布枠
１１ｃ、１１ｄ、１１ｅ  下段の足場の床付き布枠
１３  筋違
１４  支柱
１５  作業用手摺
１６  支柱部材
１９  ブレース材
２０  コマ
２１  腕木材
２２  建物
２５  小アンチ
２６  大アンチ
３０  主材
３１  床材部
３２ａ、３２ｂ  布材部
３３  リップ
３４  布材部のリベット穴
３５  リベット
３６  床材部の溝
３７  リップの屈曲部
４０  梁材
４１  梁材の上側フランジ
４２  梁材の下側フランジ
４３  梁材のウェブ
４４  梁材の上側フランジの突出部
４５  梁材の下側フランジの突出部
５０  掴み金具
５０ａ、５０ｂ  階段部材の掴み金具
５０ｃ、５０ｄ、５０ｅ、５０ｆ、５０ｇ  床付き布枠の掴み金具
５１  掴み金具のリベット穴
５２  掴み金具の落下錠
５３  掴み金具の開口部
６０  突出部材
６３  リブ
７０  桟木
７１  エンボス加工
７２  隙間
７５  階段部材
８０  桁材
８１  ステップ
Ｗ１、Ｗ２、Ｗ３、Ｗ４  溶接
【図１】
2010031539.tif 000003
【図２】
2010031539.tif 000004
【図３】
2010031539.tif 000005
【図４】
2010031539.tif 000006
【図５】
2010031539.tif 000007
【図６】
2010031539.tif 000008
【図７】
2010031539.tif 000009
【図８】
2010031539.tif 000010
【図９】
2010031539.tif 000011
【図１０】
2010031539.tif 000012
【図１１】
2010031539.tif 000013
【図１２】
2010031539.tif 000014
【図１３】
2010031539.tif 000015
【図１４】
2010031539.tif 000016
【図１５】
2010031539.tif 000017
【図１６】
2010031539.tif 000018
【図１７】
2010031539.tif 000019
【図１８】
2010031539.tif 000020
【図１９】
2010031539.tif 000021
【図２０】
2010031539.tif 000022
【図２１】
2010031539.tif 000023
【図２２】
2010031539.tif 000024
【図２３】
2010031539.tif 000025
【図２４】
2010031539.tif 000026
【図２５】
2010031539.tif 000027
【図２６】
2010031539.tif 000028
【図２７】
2010031539.tif 000029
【図２８】
2010031539.tif 000030
【図２９】
2010031539.tif 000031